(57)【要約】【課題】木製のボックス体により、縦置き姿勢だけでなく横置き姿勢でも用いることができ、しかも組み立て作業も容易にする。【解決手段】スピーカユニットが取り付けられるバッフル板、天板及び底板、後方に向かうにしたがって相互に接近する右後側板と左後側板とを備えたスピーカキャビネットであって、これら右後側板と左後側板の後部の中程度の高さに後部ノッチが形成されており、当該スピーカキャビネットの内部に、天板から底板までの間、右後側板と左後側板に交差する縦板が設けられており、その縦板は、後部ノッチから外部に露出してパネル取り付け面を形成する。【選択図】      図３
2018117179.tif 000002
【特許請求の範囲】
【請求項１】
すくなくとも、
スピーカユニットが取り付けられるバッフル板と、
天板と、
底板と、
後方に向かうにしたがって相互に接近する右後側板と左後側板と
を備えたスピーカキャビネットであって、
これら右後側板と左後側板の後部の中程度の高さに後部ノッチが形成されており、さらに、当該スピーカキャビネットの内部に、前記天板から前記底板までの間、右後側板と左後側板に交差する縦板が設けられており、その縦板は、前記後部ノッチから外部に露出してパネル取り付け面を形成することを特徴とするスピーカキャビネット。
【請求項２】
前記縦板の上下の両端部の少なくとも一方に、内部開口部が形成されていることを特徴とする請求項１記載のスピーカキャビネット。
【請求項３】
右後側板と左後側板と縦板の間の小開口部を閉塞する閉塞板が設けられている請求項１又は２記載のスピーカキャビネット。
【請求項４】
請求項１から３のいずれか一項記載のスピーカキャビネットと、前記バッフル板に設けられたスピーカユニットとを備えるスピーカ装置。
【発明の詳細な説明】
【技術分野】
【０００１】
本発明は、木製のボックス体の内側に補強部材を設けてなるスピーカキャビネット及びスピーカ装置に関する。
【背景技術】
【０００２】
通常、スピーカキャビネットの後方の何れかの面には配線用のパネルが設けられる。スピーカを横置きする場合、パネルのある面を接地できず、スピーカを横置きする向きが限られる。
例えば、非特許文献１に示されるスピーカキャビネットは、木製で横断面五角形をなしているが、右後ろ面と左後ろ面のいずれかにパネルが取り付けられ、横置きする場合は、その面を接地すべきでない。
これに対して、非特許文献２に示されるスピーカキャビネットは、プラスチック製キャビネットであり、パネルがスピーカキャビネットのボックス体の外面からくぼんだ凹部の面に取り付けられているため、右後ろ面と左後ろ面のいずれも接地可能である。この明細書では、スピーカーキャビネットのうちの、補強材や脚や取っ手が取り付けられる、箱の部分をボックス体と呼ぶ。
【先行技術文献】
【非特許文献】
【０００３】
【非特許文献１】ヤマハ  スピーカ  ＤＳＲシリーズ，インターネットＵＲＬ：http://www.yamahaproaudio.com/japan/ja/products/speakers/dsr_series/photos.jsp
【非特許文献２】ヤマハ  スピーカ  ＤＸＲシリーズ，インターネットＵＲＬ：http://www.yamahaproaudio.com/japan/ja/products/speakers/dxr/photos.jsp
【発明の概要】
【発明が解決しようとする課題】
【０００４】
しかしながら、非特許文献２に示されるスピーカキャビネットは、成形用に大きな金型を要する。また、音響は、一般的に、木製のボックス体のスピーカキャビネットの方が有利である。
木製のボックス体により、非特許文献２に示される外形と同様の外形のスピーカキャビネットを形成することが考えられるが、凹部の周辺は位置決めすべき面が多く、組み立てに複雑な冶具や高度な技術が必要になる。
【０００５】
本発明は、このような事情に鑑みてなされたもので、横置きの方向が制限されない木製のボックス体であり、しかも組み立て作業が容易なスピーカキャビネットを提供することを目的とする。
【課題を解決するための手段】
【０００６】
本発明のスピーカキャビネットは、少なくとも、スピーカユニットが取り付けられるバッフル板と、天板と、底板と、後方に向かうにしたがって相互に接近する右後側板と左後側板とを備えたスピーカキャビネットであって、これら右後側板と左後側板の後部の中程度の高さに後部ノッチが形成されており、さらに、当該スピーカキャビネットの内部に、前記天板から前記底板までの間、右後側板と左後側板に交差する縦板が設けられており、その縦板は、前記後部ノッチから外部に露出してパネル取り付け面を形成する。
【０００７】
後部ノッチから外部に露出する縦板にパネル取り付け面を形成したので、右後側板又は左後側板のいずれをも接地面として利用できる。その場合に接地面となる側板の内面を上端から下端まで縦板が支えているので、強度が向上し結果的に振動を抑えることができる。縦板は、両後側板と同じ高さを有しているので、組み立て時に容易に位置合わせができる。例えば、両後側板を所定の角度で交差させ、縦板を高さを揃えつつ内側に嵌め込んで、その状態で接着剤やねじなどを用いて固定すればよい。
【０００８】
本発明のスピーカキャビネットにおいて、前記縦板の上下の両端部の少なくとも一方に内部ノッチが形成されているとよい。これにより、縦板の後方の両後側板との間の空間を、スピーカキャビネットの追加の容量や、バスレフポートとして活用できる。
【０００９】
本発明のスピーカキャビネットにおいて、右後側板と左後側板と縦板の間の小開口部を閉塞する閉塞板が設けられているとよい。
閉塞板により該小開口部を閉塞すれば、前記空間を前記追加の容量として活用できる。
【００１０】
本発明のスピーカ装置は、前記スピーカキャビネットと、前記ボックス体のバッフル板に設けられたスピーカユニットとを備える。
【発明の効果】
【００１１】
本発明によれば、横置きの方向が制限されず、しかも組み立ての容易なスピーカキャビネットを提供できる。
【図面の簡単な説明】
【００１２】
【図１】本発明の実施形態のスピーカ装置正面側斜視図である。
【図２】図１のスピーカ装置の背面側斜視図である。
【図３】図１のスピーカ装置の横断面図であり、図４のＡ−Ａ線に沿う位置での断面に相当する。
【図４】図１のスピーカ装置の縦断面図であり、図３のＢ−Ｂ線に沿う位置での断面に相当する。
【図５】ボックス体内の縦板の取付状態を示す正面図であり、図４のＣ−Ｃ線に沿う位置からの正面図に相当する。
【図６】両閉塞板を取り付けた状態の縦板の背面図である。
【図７】図１のスピーカ装置を横置き状態として天板を視た正面図である。
【図８】図７の右側面図である。
【発明を実施するための形態】
【００１３】
以下、本発明のスピーカ装置の実施形態について、図面を参照しながら説明する。
このスピーカ装置１は、スピーカキャビネット１０と、その内部に取り付けられたスピーカユニット２５，２６とを有している。このスピーカ装置は、図１のように立てて使う使用形態と、図５のように寝かせて使う使用形態とが想定されており、その意味でどちらが上と決まっていないが、この明細書では、図１の状態で正面から視た方向で、前後方向、左右方向、上下方向を定義する。
スピーカキャビネット１０は、図１、図２及び図７に示すように六角形をなす天板１１及び底板１２、図３及び図４に示す正面のバッフル板１３、バッフル板１３の両側に配置される一対の前側板１４、これら前側板１４の背部に配置される一対の後側板１５、これら後側板１５の間に配置される縦板１６及び後述するように二つに分かれた背面板１７Ａ，１７Ｂ、これら背面板１７Ａ，１７Ｂと縦板１６との間を閉塞する上側閉塞板１８Ａ、下側閉塞板１８Ｂにより囲まれたボックス体１９を備えている。
【００１４】
この実施形態では、スピーカユニット２５，２６は二種類設けられており、図４に示すようにバッフル板１３の上部にホーン形スピーカユニット２５が取り付けられ、下部にコーン形スピーカユニット２６が取り付けられている。そして、これらホーン形スピーカユニット２５及びコーン形スピーカユニット２６を含めてバッフル板１３の全面を覆うようにグリル板３０が設けられている。また、このバッフル板１３の上端部は天板１１の下面に形成した溝１１ａ内に嵌め込まれ、バッフル板１３の両側部は、前側板１４の内面に形成した上下方向に沿う溝１４ａ内に嵌め込まれた状態に固定され（図３参照）、バッフル板１３の下端部が底板１２に固定されている。
【００１５】
一対の前側板１４はバッフル板１３に対してほぼ直角に設けられているが、その後方に配置される両後側板１５は、後方に向かうにしたがって間隔を漸次狭めるように角度をつけて設けられている。この場合、両後側板１５は、図２に示すように、その上端部間及び下端部間が、それぞれ背面板１７Ａ，１７Ｂにより連結されており、これら背面板１７Ａ，１７Ｂにより連結された上端部と下端部の間に、後端部の高さ方向の中間部を凹状に切り欠くように後部ノッチ１５ａが形成されている。そして、ボックス体１９のこれら後部ノッチ１５ａによる背面開口部を閉塞するように、ボックス体１９の内側に縦板１６が設けられるとともに、この縦板１６と両後側板１５及び背面板１７Ａ，１７Ｂとにより囲まれた横断面台形状の上下の小開口部を閉塞する上側閉塞板１８Ａ及び下側閉塞板１８Ｂが設けられている。
【００１６】
これにより、ボックス体１９の背部は、図２に示すように、その高さ方向の中央部の凹部３５と、その上方及び下方の突出部３６Ａ，３６Ｂとにより構成される。これら突出部３６Ａ，３６Ｂのうち上側突出部３６Ａは、一対の後側板１５、背面板１７Ａ、天板１１及び上側閉塞板１８Ａにより、また、下側突出部３６Ｂは、一対の後側板１５、背面板１７Ｂ、底板１２及び下側閉塞板１８Ｂにより、それぞれ空気が漏れないように形成される。
【００１７】
縦板１６は、図３に示すように、両後側板１５の後部ノッチ１５ａの前端の間を連結するように配置されており、図４に示すように、その高さ方向の中間部が、後部ノッチ１５ａからボックス体１９の後方に露出して凹部３５の底面を形成する。また、図５及び図６に示すように、縦板１６の両側部１６ａは、バッフル板１３や側板１４，１５等と同じ長さ、すなわち、ボックス体１９の高さ方向の全長にわたって形成されているが、高さ方向の両端部には、その幅方向の中間部を切り欠いた内部開口部２０がそれぞれ形成されている。縦板１６を両後側板１５の間に固定したときに、図４に示すように、この内部開口部２０により、縦板１６の前方の主空間Ｓ２と、縦板１６の後方の突出部３６Ａ，３６Ｂ内の空間Ｓ１とがつながり、空間Ｓ１の容積分だけスピーカキャビネット１０の容積が大きくなる。なお、上下の小開口部の少なくとも一方を閉塞板で完全には閉塞せず、その閉塞されない空間Ｓ１を、スピーカ装置のバスレフポートとして活用してもよい。また、縦板１６の内部開口部２０は、ノッチではなく切り抜き穴でもよい。
また、上述した縦板１６の高さ方向の中間位置、つまりボックス体１９の凹部３５において後方に露出する部分には、矩形状に切り抜かれた切抜穴２１が形成され、この切抜穴２１を塞ぐように、外部から音信号を受け取る入力端子、パッシブネットワークやパワーアンプの回路基板、設定つまみ等を有するパネル２２がねじ止め等により固定される。なお、本発明のスピーカ装置１は、パワーアンプを含むパワードスピーカ装置であってもよいし、パワーアンプを含まないパッシブ型スピーカ装置であってもよい。
【００１８】
一方、両前側板１４の高さ方向の中央部に、持ち運び用の取っ手部材４０が取り付けられている。これら取っ手部材４０は、前側板１４に形成した矩形の孔部１４ｂ内に取り付けられており、孔部１４ｂの周縁部の内面に固定されるフランジ部４１と、そのフランジ部４１により囲まれた部分をボックス体１９の外面に向けて凹状に形成してなる凹状部４２と、この凹状部４２に架け渡されるハンドル部４３とにより構成されている。このため、取っ手部材４０は、凹状部４２を形成している部分がボックス体１９の内側に突出する。
【００１９】
グリル板３０は、例えばスチール等の金属板の表面に布を貼り付けた構成であり、スピーカユニット２５，２６から放射される音を通過可能な複数の孔（図示略）が設けられている。図１に示すように全体として長方形状に形成されるが、その幅方向の中央部を前方に突出させるように湾曲した形状に形成されている。このため、天板１１及び底板１２も、このグリル板３０の湾曲に併せて、前端面が前方に向けて凸となるように円弧状に形成されている。また、バッフル板１３の前面の上端部、中間部、及び下端部には、図３及び図４に示すように、グリル板３０の背面を当接して、グリル板３０を湾曲状態に保持するための桟部材３１〜３３がそれぞれ固定されており、これら桟部材３１〜３３の前面にグリル板３０が設けられる。
【００２０】
また、バッフル板１３の背面（内面）と、両後側板１５との間には、その高さ方向の中間部に、補強部材５０が設けられている。この場合、補強部材５０は、バッフル板１３に取り付けられている両スピーカユニット２５，２６の間に配置されているが、二つのスピーカユニット２５，２６は、実施形態では下部のコーン形スピーカユニット２６が上部のホーン形スピーカユニット２５よりも大きいため、補強部材５０は、高さ方向の中央位置より若干上寄りに配置される。
【００２１】
この補強部材５０は、図３に示すように、バッフル板１３の背面に幅方向に沿って固定されたリブ部５１と、このリブ部５１の両端部と両後側板１５との間をそれぞれ連結する筋交い部５２とを備える。筋交い部５２は、その途中で交差するＸ字状であり、その交差部にリブ部５１と平行に延びる棒状部５３を有する。そして、その棒状部５３の両端部に、リブ部５１の両端部との間を連結する一対の前側斜め部５４と、一対の後側板１５の内面に向けて延びる一対の後側斜め部５５とが設けられている。
この場合、リブ部５１は、横方向にバッフル板１３の両端あたりまで延びており、リブ部５１の両端面がバッフル板１３の両側の前側板１４の内面に固定されている。一方、筋交い部５２の一対の後側斜め部５５の先端面は、ボックス体１９の後側板１５における縦板１６よりも前方位置の内面に固定されている。
【００２２】
したがって、この補強部材５０は、リブ部５１と交差部（棒状部）５３と２本の前側斜め部５４とにより囲まれた貫通孔６１を有するとともに、補強部材５０がボックス体１９の内側に配置された状態においては、前側斜め部５４と後側斜め部５５とボックス体１９の前側板１４とにより囲まれたほぼ三角形状をなす側部貫通部６２が棒状の交差部５３の両側方に１個ずつ形成され、後部には、交差部５３と両後側斜め部５５と後側板１５及び縦板１６とにより囲まれた後部貫通部６３が形成され、スピーカキャビネット１０内の空気は、貫通孔６１、貫通部６２，６３をボックス体１９の高さ方向（上下方向）に貫通する。
そして、両側部貫通部６２内には、前側板１４に取り付けられた取っ手部材４０が張り出しており、後部貫通部６３内には、縦板１６の取付穴に取り付けられた回路基板Ｃが配置される。逆に言えば、補強部材５０は、これら取っ手部４０材及び回路基板Ｃを避けるように設計されている。パネル２２の回路基板Ｃがパワーアンプを含む場合、パネル２２には、外部から音信号を受け取る入力端子と、その音信号を増幅してスピーカユニット２０、２１を駆動する増幅回路と、その音量を制御する操作つまみ等を備える。
【００２３】
ボックス体１９の外壁を構成している天板１１、底板１２、バッフル板１３、前側板１４、後側板１５、縦板１６、背面板１７Ａ，１７Ｂ、両閉塞板１８Ａ，１８Ｂ及び補強部材５０は、それぞれ木製で適度な厚さを有する板であり、例えば、合板、パーティクルボード、ＭＤＦ（Ｍｅｄｉｕｍ  Ｄｅｎｓｉｔｙ  Ｆｉｂｅｒｂｏａｒｄ）等の何れでも良い。強度の不足を補うための補強部材５０は、１つの板素材から、例えば、糸鋸で１枚の板から切り出したり、プレス機で１枚の板から打抜いて形成されており、リブ部５１及び筋交い部５２が同一平面状に形成される。この場合、リブ部５１は、その長手方向に垂直の厚さ方向の断面が厚さよりも幅の大きい矩形状である。このため、リブ部５１は、その厚さ方向に平行な軸を中心とする曲げモーメントに対する剛性が、その軸に直交する軸を中心とする曲げモーメントに対する剛性よりも高い。
【００２４】
そして、補強部材５０は、ボックス体１９に、ボックス体１９の内面に形成した溝内に補強部材５０が嵌め込まれた状態で、接着されている。具体的には、バッフル板１３には、その内面に幅方向に沿って溝１３ａが形成され、このバッフル板１３に連続する前側板１４の前端部には、バッフル板１３の溝１３ａと連続する溝１４ａが形成され、これら溝１３ａ，１４ａ内に補強部材５０のリブ部５１の先端部から両端部が嵌め込まれている。また、後側板１５には、バッフル板１３の溝１３ａと同じ高さ位置に溝１５ｂがそれぞれ設けられており、その溝１５ｂに補強部材５０の両後側斜め部５５の先端部が嵌め込まれている。これら溝１３ａ，１４ａ，１５ｂで、補強部材５０はボックス体１９に接着剤により固定される。
【００２５】
なお、両前側板１４に取り付けられている取っ手部材４０は、そのハンドル部４３等が前側板１４の外表面から突出しないように設けられている。また、このスピーカ装置１は、底板１２を接地させて使用する縦置き姿勢だけでなく、図７及び図８に示すように、両後側板１５のいずれかを床Ｆに接地させた横置き姿勢でも用いることができるようになっており、これら底板１２と両後側板１５とに接地用の脚部７０が設けられる。
【００２６】
このように構成したスピーカキャビネット１０を有するスピーカ装置１は、ボックス体１９の高さ方向の中間位置では、図３に示すように、バッフル板１３、両前側板１４、両後側板１５をボックス体１９の内部で補強部材５０が連結し、かつ、ボックス体１９の後部においては、図５に示すように、天板１１、両後側板１５及び底板１２を縦板１６が連結しているので、木製でありながら剛性が高いボックス体１９となっている。そして、その補強部材５０のリブ部５１がバッフル板１３の全幅にわたって固定され、その両端部が両前側板１４に固定されているので、リブ部５１の剛性が高く、バッフル板１３の振動の発生を強力に防止することができる。なお、補強部材５０を省略して、縦板１６だけで補強を行うようにしてもよい。
【００２７】
また、前述したように、このスピーカ装置１は、底面を接地した縦置き姿勢だけでなく、後側板１５の表面を接地した横置き姿勢でも用いることが想定されているが、その横置き姿勢においても、接地面を形成する後側板１５と他の後側板１５及びバッフル板１３の間を連結するように補強部材５０が上下方向に沿って配置され、また縦板１６が接地面を形成する後側板１５の内側を天板１１、底板１２、他の後側板１５に連結するように配置されるので、この横置き姿勢のボックス体１９に上下方向に荷重が作用したとしても、つぶされることはない。実施形態のようにボックス体１９が直方体形状でない場合、上方から荷重が作用した場合には、垂直方向の板が少なくつぶされ易いために、本構造の補強部材５０が有効である。
この補強部材５０及び縦板１６は、それぞれ板素材から形成しているので、特に面方向に沿う座屈荷重に強く、ボックス体１９の強度を大きく向上させることができる。
また、このスピーカキャビネット１０を組み立てる場合、ボックス体１９の後部部分に関しては、縦板１６が両後側板と同じ高さを有しているので、組み立て時に、縦板の位置を容易に合わせることができる。組み立て手順について必ずしも限定されるものではないが、組み立て工は、例えば、底板１２上において、両後側板１５が所定の角度で交差するよう、底板１２と、背面板１７Ａ，１７Ｂと、両後側板１５とを接着材等で取り付けるとともに、図６に示すように両閉塞板１８Ａ，１８Ｂを取り付けた縦板１６を、高さ位置を揃えつつ、両後側板１５の間に内側に嵌め込んで接着剤等で取り付けることができる。これらの板を底板１２の対応する溝に嵌めつつ接着すればよく、縦板１６に関する組み立て作業は極めて容易である。また、組み立て工が、底板１２の上に立てられた背面板１７Ａ、１７Ｂ、両後側板１５、縦板１６の高さが揃うよう、それらの板の位置を微調整することで、ボックス体１９としての組立精度が向上する。
【００２８】
なお、本発明は、上記実施形態に限定されるものではなく、本発明の趣旨を逸脱しない範囲において種々の変更を加えることが可能である。
例えば、実施形態のスピーカキャビネット１０は天板１１及び底板１２が六角形の六角柱であったが、三角柱、四角柱（直方体）、五角柱など、他の多角柱形状としてもよく、兎に角、後方に向かうにしたがって相互に接近する方向に角度付られた右後側板と左後側板とを有していれば、それら両後側板の間に本発明の縦板を取り付けられる。例えば、五角柱のスピーカキャビネットは、上記実施形態の後側板１５を互いに接触するまで後方に延長して背面板１７Ａ，１７Ｂを無くした構造となる。その場合、上下の小開口部はそれぞれ縦板１６と両後側板１５で囲まれた三角形状となり、その小開口部を三角形状の上側閉塞板１８Ａと下側閉塞板１８Ｂを用いて塞げばよい。
補強部材５０の交差部５３を棒状部により構成したが、必ずしも棒状でなくてもよく、前側斜め部及び後側斜め部が直接的に交差する形状としてもよい。
実施形態のスピーカ装置は、バッフル板１３に２つのスピーカユニット２５、２６を取り付けた２ＷＡＹスピーカであったが、スピーカユニットが１つのフルレンジスピーカや、３つ以上の３ＷＡＹスピーカ、４ＷＡＹスピーカ等であってもよい。取り付けるスピーカユニットの種類も、例示したコーン型やホーン型に限らず、コーン型、平面型、ホーン型、ドーム型、リボン型等の何れであってもよい。
【符号の説明】
【００２９】
１…スピーカ装置、１０…スピーカキャビネット、１１…天板、１１ａ，１３ａ，１４ａ，１５ｂ…溝、１２…底板、１３…バッフル板、１４…前側板、１４ｂ…孔部、１５…後側板、１５ａ…後部ノッチ、１６…縦板、１６ａ…側部、１７Ａ，１７Ｂ…背面板、１８Ａ…上側閉塞板、１８Ａ，１８Ｂ…閉塞板、１８Ｂ…下側閉塞板、１９…ボックス体、２０…内部開口部、２１…切抜穴、２２…パネル、２５，２６…スピーカユニット、３０…グリル板、３１〜３３…桟部材、３５…凹部、３６Ａ，３６Ｂ…突出部、４０…取っ手部材、４１…フランジ部、４２…凹状部、４３…ハンドル部、５０…補強部材、５１…リブ部、５４…前側斜め部、５５…後側斜め部、６１…貫通孔、６２…側部貫通部、６３…後部貫通部、７０…脚部、Ｓ１，Ｓ２…空間、Ｃ…回路基板、Ｆ…床。
【図１】
2018117179.tif 000003
【図２】
2018117179.tif 000004
【図３】
2018117179.tif 000005
【図４】
2018117179.tif 000006
【図５】
2018117179.tif 000007
【図６】
2018117179.tif 000008
【図７】
2018117179.tif 000009
【図８】
2018117179.tif 000010